(57)【要約】【課題】基板の集約化等構成の簡素化を損なうことなく温度検知感度を高めた冷蔵庫を提供する。【解決手段】上下方向に複数の棚板１０４〜１０６を配置した貯蔵室１０３を有する冷蔵庫本体１０１と、前記貯蔵室を開閉する扉と、前記貯蔵室内の壁面に設けたＬＥＤ照明ユニット１１５とを備え、前記ＬＥＤ照明ユニットは前記貯蔵室内の冷気が流れる風路１１９を設けるとともに、当該風路に複数のＬＥＤ発光素子１２４を装備させたＬＥＤ基板１２３を配置し、前記ＬＥＤ基板に温度センサ１２５を取り付け、当該温度センサはＬＥＤ発光素子より風上側に配置した構成としてある。これにより、ＬＥＤ発光素子と温度センサを設けた基板部分には風路内を貯蔵室の冷気が流れるので、温度センサの温度検知感度は高いものになるとともに、温度センサの基板をＬＥＤ発光素子の基板に集約化させて構成の簡素化も維持することができる。【選択図】図３
2013190160.tif 000002
【特許請求の範囲】
【請求項１】
上下方向に複数の棚板を配置した貯蔵室を有する冷蔵庫本体と、前記貯蔵室を開閉する扉と、前記貯蔵室内の壁面にＬＥＤ照明ユニットとを備え、前記ＬＥＤ照明ユニットは前記貯蔵室内の冷気が流れる風路を設けるとともに、当該風路に複数のＬＥＤ発光素子を装備させたＬＥＤ基板を配置し、前記ＬＥＤ基板に温度センサを取り付け、当該温度センサはＬＥＤ発光素子より風上側に配置した冷蔵庫。
【請求項２】
風路は貯蔵室の複数の棚板を跨ぐように上下方向に設け、その上部に冷気入口部、下部に冷気出口を設けた請求項１記載の冷蔵庫。
【請求項３】
風路は貯蔵室の複数の棚板を跨ぐように上下方向に設け、その上部に冷気入口部、冷気入口部より下方側部に冷気出口部を設け、上記冷気出口部は上下方向にわたって複数に分割して設けた請求項１記載の冷蔵庫。
【請求項４】
風路はその冷気入口部及び冷気出口部が貯蔵室の背面より奥に位置するように設けた請求項２または３記載の冷蔵庫。
【請求項５】
風路内のＬＥＤ発光素子より下流側に温度調節手段を設けた請求項１〜４のいずれか１項記載の冷蔵庫。
【請求項６】
貯蔵室に冷気を吐出するダクト開口部を照明ユニットの風路の冷気入口部近傍に開口させた請求項２〜５のいずれか１項記載の冷蔵庫。
【発明の詳細な説明】
【技術分野】
【０００１】
本発明は冷蔵庫に関し、特に庫内照明構成に関するものである。
【背景技術】
【０００２】
一般にこの種の冷蔵庫では、扉を開くことによって貯蔵室内を照らす照明が設けてあり、最近では省電力化の関係からこの照明をＬＥＤで行うようになりつつある。
【０００３】
一方、冷蔵庫は貯蔵室内の温度を温度調節機によって設定した温度になるように冷却能力を調節しているが、そのために貯蔵室内の温度を検出する温度センサが設けてある（例えば、特許文献１参照）。
【０００４】
図５は上記特許文献１の冷蔵庫を示し、この冷蔵庫は冷蔵室２の背面部にランプカバー１１を設け、このランプカバー１１は冷蔵室２内の上下複数のガラス棚５間に跨って縦長に配設するとともに、その内部にはＬＥＤ発光素子１６が適当間隔おいて複数設けてある。そして、上記ＬＥＤ発光素子１６は図６に示すように縦長の基板１０上に直線的に配置し、更に上記基板１０の下部に庫内温度を制御する温度センサ２０を一体に配置してある。
【先行技術文献】
【特許文献】
【０００５】
【特許文献１】特開２００７−１３９３１８号公報
【発明の概要】
【発明が解決しようとする課題】
【０００６】
上記従来の構成によれば、ＬＥＤ発光素子１６を用いているので消費電力を抑え省電力化が実現できるとともに、温度センサ２０を一体に有しているので基板の集約化ができ、構成の簡素化が図れる。しかしながら、上記従来の構成では温度センサ２０をＬＥＤ発光素子１６とともにランプカバー１１で覆ってしまっているため、温度センサ２０が感知する冷蔵室２の温度はこのランプカバー１１を介して間接的なものとなってしまい、温度検知感度が鈍くなってしまう、という課題を有していた。
【０００７】
本発明はこのような点に鑑みてなしたもので、基板の集約化等構成の簡素化を損なうことなく温度検知感度を高めた冷蔵庫を提供するものである。
【課題を解決するための手段】
【０００８】
本発明は上記目的を達成するため、上下方向に複数の棚板を配置した貯蔵室を有する冷蔵庫本体と、前記貯蔵室を開閉する扉と、前記貯蔵室内の壁面に設けたＬＥＤ照明ユニットとを備え、前記ＬＥＤ照明ユニットは前記貯蔵室内の冷気が流れる風路を設けるとともに、当該風路に複数のＬＥＤ発光素子を装備させたＬＥＤ基板を配置し、前記ＬＥＤ基板に温度センサを取り付け、当該温度センサはＬＥＤ発光素子より風上側に配置した構成としてある。
【０００９】
これにより、ＬＥＤ発光素子と温度センサを設けた風路内は貯蔵室の冷気が流れ、しかも温度センサはＬＥＤ発光素子の温度の影響を受けることもなくなるので、温度センサの温度検知感度は高いものになるとともに、温度センサの基板をＬＥＤ発光素子のＬＥＤ基板に集約化させて構成の簡素化も維持することができる。
【発明の効果】
【００１０】
本発明は、温度センサとＬＥＤ発光素子の基板を集約化して構成の簡素化を図ると同時に温度センサの温度検知感度を向上させて、正確な温度制御ができる冷蔵庫の提供が可能となる。
【図面の簡単な説明】
【００１１】
【図１】本発明の実施の形態１における冷蔵庫の正面図
【図２】同冷蔵庫の断面図
【図３】同冷蔵庫のＬＥＤ照明ユニット部分を示す拡大縦断面図
【図４】同冷蔵庫のＬＥＤ照明ユニットプ部を示す拡大横断面図
【図５】従来の冷蔵庫を示す断面図
【図６】従来の冷蔵庫の庫内照明を示す正面図
【発明を実施するための形態】
【００１２】
第１の発明は、上下方向に複数の棚板を配置した貯蔵室を有する冷蔵庫本体と、前記貯蔵室を開閉する扉と、前記貯蔵室内の壁面に設けたＬＥＤ照明ユニットとを備え、前記ＬＥＤ照明ユニットは前記貯蔵室内の冷気が流れる風路を設けるとともに、当該風路に複数のＬＥＤ発光素子を装備させたＬＥＤ基板を配置し、前記ＬＥＤ基板に温度センサを取り付け、当該温度センサはＬＥＤ発光素子より風上側に配置した構成としてある。
【００１３】
これにより、ＬＥＤ発光素子と温度センサを設けた風路内は貯蔵室の冷気が流れ、しかも温度センサはＬＥＤ発光素子の温度の影響を受けることもなくなるので、温度センサの温度検知感度は高いものになるとともに、温度センサの基板をＬＥＤ発光素子のＬＥＤ基板に集約化させて構成の簡素化も維持することができる。
【００１４】
また第２の発明は、第１の発明において、風路は貯蔵室の複数の棚板を跨ぐように上下方向に設け、その上部に冷気入口部、下部に冷気出口を設けた構成としてある。
【００１５】
これにより、冷気は冷気自体の沈降作用によって風路内を流れるようになり、冷気のよどみを防止できると同時に冷気を流動させるため専用送風手段を設ける必要もなく、簡単かつ安価な構成にて貯蔵室内の冷気の温度を正確に感知することができる。
【００１６】
第３の発明は、第１または第２の発明において、風路は貯蔵室の複数の棚板を跨ぐように上下方向に設け、その上部に冷気入口部、冷気入口部より下方の側部に冷気出口部を設け、上記冷気出口部は上下方向にわたって複数に分割して設けた構成としてある。
【００１７】
これにより、風路に入ってきた冷気は温度センサに触れた後、側部の冷気出口から各棚板間へと流出することになり、仮に冷気出口の一つが貯蔵室に収納した食品によってふさがれるようなことがあっても温度センサ部分での冷気の流れは確保することができ、確実な温度検知ができる。
【００１８】
第４の発明は、第２または第３の発明において、風路はその冷気入口部及び冷気出口部が貯蔵室の背面より奥に位置するように設けた構成としてある。
【００１９】
これにより、貯蔵室に収納された食品が貯蔵室背面に接するような状態で収納されたとしてもふさがれる可能性はほとんどなくなり、風路への冷気の出入りを確保できて、確実に貯蔵室内冷気の温度を検知することができ。
【００２０】
第５の発明は、第１〜第４の発明において、風路内のＬＥＤ発光素子より下流側に温度調節手段を設けた構成としてある。
【００２１】
これにより温度調節手段の基板もＬＥＤ発光素子の基板に集約することができ、さらなる構成の簡素化が図れるとともに、温度検出手段はＬＥＤ照明ユニットの最下部に位置することになって棚板や食品等によって見えにくくなり、貯蔵室内の美観を損なうこともなくすることができる。
【００２２】
第６の発明は、第２〜第５の発明において、貯蔵室に冷気を吐出するダクト開口部を照明ユニットの風路の冷気入口部近傍に開口させた構成としてある。
【００２３】
これにより、ダクト開口部からの冷気が冷気入口部を介してＬＥＤ照明ユニットの風路内に流入しやすくなり、効果的である。
【００２４】
以下、本発明の実施の形態について、図面を参照しながら説明する。なお、この実施の形態によって本発明が限定されるものではない。
【００２５】
（実施の形態１）
図１は本発明の実施の形態１における冷蔵庫の正面図、図２は同冷蔵庫の断面図、図３は同冷蔵庫のＬＥＤ照明ユニット部分を示す拡大断面図、図４は同冷蔵庫のＬＥＤ照明ユニット部分を示す拡大断面図である。
【００２６】
図１〜図６において、この冷蔵庫は冷蔵庫１００の内方と外方とを断熱状態で隔てる冷蔵庫本体１０１内に複数に区画した貯蔵室を備えている。この実施の形態の場合は二つの貯蔵室に区画してあり、上部の貯蔵室１０２は冷凍室、下部の貯蔵室１０３は複数の棚板１０４，１０５，１０６，１０７を有し、その機能（冷却温度）によって冷蔵室１０８、野菜室１０９等と区別して称している。
【００２７】
上記冷蔵室１０８は食品が凍らない程度の温度、通常１℃〜５℃程度に設定してあり、更に野菜室１０９はそれと同等もしくは若干高めに設定してある。具体的には２℃〜７℃であるが、低温にするほど野菜の鮮度を長期間維持することが可能となる。
【００２８】
前記冷蔵庫本体１０１は金属製の外箱１０１ａと樹脂製の内箱１０１ｂとの間に例えば硬質発泡ウレタン等の断熱材１０１ｃを充填して構成してあり、外方の大気から冷蔵庫本体１０１の内方に流入しようとする熱を遮断する機能を有している。
【００２９】
また、この冷蔵庫１００は前記冷凍室となる貯蔵室１０２を開閉する第１扉１１０と、冷蔵室１０８、野菜室１０９となる貯蔵室１０３を開閉する第２扉１１１を備え、これら各扉１１０，１１１は例えば右側端部を冷蔵庫本体１０１に回転自在に取り付けてあり、ウレタンのような発泡断熱材を発泡充填して構成してある。
【００３０】
前記冷蔵庫本体１０１はその冷凍室１０２の背部に冷却器１１２が設けてあり、この冷却器１１２で熱交換して生成した冷気は送風機（図示せず）によってダクト１１４を介し貯蔵室１０３と貯蔵室１０２に吐出し、これらを冷却するようになっている。
【００３１】
また、前記冷蔵室１０８、野菜室１０９となる貯蔵室１０３の背面にはＬＥＤ照明ユニット１１５が設けてある。このＬＥＤ照明ユニット１１５は貯蔵室背面に設けた上下方向の縦長凹所１１６に設けてある。
【００３２】
上記ＬＥＤ照明ユニット１１５は、図３、図４に示すように、前記貯蔵室背面の凹所１１６に装着した樹脂製のユニット本体１１７と、このユニット本体１１７の貯蔵室側を覆う透明樹脂製のランプカバー１１８とからなり、これら両者間に風路１１９が形成してあ
る。そして、このＬＥＤ照明ユニット１１５は貯蔵室１０３内の各棚板１０４〜１０６を跨ぐように縦長に設けてある。更に、上記ＬＥＤ照明ユニット１１５のランプカバー１１８は凹所１１６の奥まった位置に設けて、貯蔵室１０３の背面より奥に位置する如く取り付けてある。
【００３３】
上記ＬＥＤ照明ユニット１１５の風路１１９にはその上部に冷気入口部１２０、下部及び両側部に冷気出口部１２１、１２２が形成してある。これにより、貯蔵室１０３内の冷気が冷気入口部１２０から風路１１９内に入り、その後冷気自体の沈降作用によって風路１１９内を下方に向って流下しながら下部及び側部の冷気出口部１２１、１２２から貯蔵室１０３へと流出する。
【００３４】
上記冷気入口部１２０、冷気出口部１２１、１２２は、前記した如くランプカバー１１８が凹所１１６の奥まった位置に設けてあるから、貯蔵室１０３の背面より奥位置で開口することになる。また、風路１１９の側部に設けた冷気出口部１２２は上下方向にわたって複数に分割して設けてあり、各棚間に冷気が流出するが、そのうちの上方部に位置する冷気出口部１２２は冷気が侵入する冷気入口部としても作用することがある。
【００３５】
上記冷気が流れるＬＥＤ照明ユニット１１５の風路１１９にはＬＥＤ発光素子用のＬＥＤ基板１２３が上下方向に設けてあり、当該ＬＥＤ基板１２３には複数のＬＥＤ発光素子１２４が上下方向に略等間隔に設けてある。
【００３６】
更に、上記ＬＥＤ照明ユニット１１５の風路１１９には貯蔵室１０３内の冷気温度を検知する温度センサ１２５が設けてある。この温度センサ１２５はＬＥＤ発光素子用のＬＥＤ基板１２３の一部に取り付けてあり、風路１１９の冷気入口側、すなわち、ＬＥＤ発光素子１２４の風上側に設けてある。この実施の形態では冷気入口部１２０の直下であって最も上部に位置するＬＥＤ発光素子１２４の上方に設けてある。
【００３７】
また、前記ＬＥＤ照明ユニット１１５の風路１１９の最下部には冷気温度を調節する温度調節手段１２６が設けてある。この温度調節手段１２６もＬＥＤ発光素子用のＬＥＤ基板１２３の一部に取り付けてある。
【００３８】
なお、この実施の形態では貯蔵室１０３へ冷気を吹き出すダクトのダクト開口部１１４ａは前記ＬＥＤ照明ユニット１１５の冷気入口部１２０近傍の上部に設けてあり、ダクト開口部１１４ａからの冷気が冷気入口部１２０を介してＬＥＤ照明ユニット１１５の風路１１９内に流入しやすくなるように配慮してある。
【００３９】
以上のように構成した冷蔵庫について、以下その動作、作用を説明する。
【００４０】
まず、冷凍室１０２の背部に配置した冷却器室の冷却器１１２で熱交換した冷気は送風機（図示せず）の運転によって冷凍室１０２に吐出するとともに、ダクト１１４を介して貯蔵室１０３の上部に開口したダクトの開口部１１４ａより吐出する。貯蔵室１０３の上部に吐出した冷気は、冷蔵室１０８の各棚板１０４，１０５，１０６の後方端隙間と前方空間部を介して野菜室１０９へと流れ、冷蔵室１０８内の食品を冷却する。
【００４１】
また、上記冷蔵室１０８の各棚板１０４，１０５，１０６の後方端隙間に流れた冷気の一部は、ＬＥＤ照明ユニット１１５の冷気入口部１２０から風路１１９内に入り、冷気自体の沈降作用によって風路１１９内を下方に向って流下しながら下部及び側部の冷気出口部１２１、１２２から貯蔵室１０３へと流出する。
【００４２】
したがって、前記風路１１９内に設けた温度センサ１２５は、上記風路１１９内を流動
する冷気の温度を検知することになる。しかも、上記温度センサ１２５はＬＥＤ発光素子１２４よりも風上側の風路内に設けてあるから、少ないとはいえ若干の熱を発するＬＥＤ発光素子１２４からの熱の影響を受けることもない。よって、この温度センサ１２５は貯蔵室内の冷気と同じ温度を正確に検知することができるようになる。
【００４３】
また、上記ＬＥＤ照明ユニット１１５は貯蔵室１０３の複数の棚板１０４〜１０６を跨ぐように上下方向に設け、その上部に冷気入口部１２０、下部に冷気出口部１２１，１２２を設けてあるから、冷気は前記した如く冷気自体の沈降作用によって風路１１９内を流れるようになり、冷気のよどみを防止できると同時に冷気を流動させるため専用送風手段を設ける必要もなく、簡単かつ安価な構成にて貯蔵室１０３内の冷気の温度を精度よく感知することができる。
【００４４】
また、風路１１９の側部に設けた冷気出口部１２２は上下方向にわたって複数に分割して設けてあるから、冷気入口部１２０から風路１１９に入ってきた冷気は温度センサ１２５に触れた後、側部の冷気出口部１２２から各棚板１０４〜１０６間へと流出することになり、仮に冷気出口の一つが貯蔵室１０３に収納した食品によってふさがれるようなことがあっても温度センサ１２５部分での冷気の流れは確保することができ、確実な温度検知ができる。
【００４５】
特にこの実施の形態では、前記風路１１９の冷気入口部１２０、冷気出口部１２１，１２２は、いずれも貯蔵室の背面より奥まった位置で開口しているから、貯蔵室１０３の棚板１０４〜１０６に置かれた食品が貯蔵室背面に接するような状態で収納されたとしてもふさがれる可能性はほとんどなく、風路１１９への冷気の出入りが確実に形成されることになる。従い、温度センサ１２５は食品の収納状態にかかわらず確実に貯蔵室内冷気の温度を検知することができ。
【００４６】
また、この実施の形態では風路１１９の冷気入口１２０の上部近傍に貯蔵室１０３内へ冷気を吐出するダクト１１４のダクト開口部１１４ａを開口させているので、ダクト開口部１１４ａからの冷気が冷気入口部１２０を介してＬＥＤ照明ユニット１１５の風路１１９内に流入しやすく、効果的である。
【００４７】
一方、上記温度センサ１２５はＬＥＤ基板１２３に取り付けてあるから、温度センサ１２５の基板をＬＥＤ発光素子１２４のＬＥＤ基板１２３に集約化させて構成の簡素化を維持することができる。
【００４８】
更に、前記ＬＥＤ照明ユニット１１５はその風路１１９内のＬＥＤ発光素子１２４より下流側に温度調節手段１２６を設けてあるから、温度調節手段１２６の基板もＬＥＤ発光素子１２４のＬＥＤ基板１２３に集約することができる。加えて上記温度調節手段１２６はＬＥＤ照明ユニット１１５の最下部に位置することになるから、棚板１０４〜１０６及びその上に収納した食品等によって見えにくくなり、貯蔵室１０３内の美観を損なうこともなくすることができる。
【００４９】
なお、上記実施の形態は本発明を実施するうえでの一例として示したものであり、本発明の目的を達成する範囲内で種々変更可能であることは言うまでもない。例えば風路１１９の冷気入口部１２０は冷気出口部１２２と同様に風路１１９の側部に設け、上部側を冷気入口部、下部側を冷気出口部とするなど、種々の展開が考えられる。
【産業上の利用可能性】
【００５０】
以上のように本発明は、温度センサとＬＥＤ発光素子の基板を集約化して構成の簡素化を図ると同時に温度センサの温度検知感度を向上させて、正確な温度制御ができる冷蔵庫
の提供が可能となり、一般用はもちろん業務用の冷蔵庫へも幅広く適用できる。
【符号の説明】
【００５１】
１００  冷蔵庫
１０１  冷蔵庫本体
１０２  冷凍室（貯蔵室）
１０３  貯蔵室
１０４，１０５，１０６，１０７  棚板
１０８  冷蔵室（貯蔵室）
１０９  野菜室（貯蔵室）
１１０  第１扉
１１１  第２扉
１１２  冷却器
１１４  ダクト
１１４ａ  ダクト開口部
１１５  ＬＥＤ照明ユニット
１１６  凹所
１１７  ユニット本体
１１８  ランプカバー
１１９  風路
１２０  冷気入口部
１２１，１２２  冷気出口部
１２３    ＬＥＤ基板
１２４    ＬＥＤ発光素子
１２５  温度センサ
１２６  温度調節手段
【図１】
2013190160.tif 000003
【図２】
2013190160.tif 000004
【図３】
2013190160.tif 000005
【図４】
2013190160.tif 000006
【図５】
2013190160.tif 000007
【図６】
2013190160.tif 000008